(57)【要約】【目的】軽量にして十分な強度を有する、矯正装置１０を提供する。【構成】本体２２に対してテコ６０が取り付けられ、テコ６０によって雄ネジ部材６４の力が第２エレクションピース２０に伝達される。つまり、本体２２を既設柱１２の第１エレクションピース１８に固定した状態で、ネジ孔８０に螺合された雄ネジ部材６４によってテコ６０の入力部Ｐ２を押圧すると、テコ６０の出力部Ｐ１が第２エレクションピース２０を押圧する。テコ６０は、連結部７２を支点として本体２２に支持されており、出力部Ｐ１は連結部７２を中心として安定して回動されるので、出力部Ｐ１をガイドするガイド孔を本体２２に設ける必要はない。【選択図】            図８
2004150080.tif 000002
【特許請求の範囲】
【請求項１】
水平方向に突出する第１エレクションピースを有する既設柱と水平方向に突出する第２エレクションピースを有する建入柱とを接続する際に前記建入柱の傾きを矯正する、矯正装置であって、
前記第１エレクションピースに固定される本体、
前記第２エレクションピースを上方向へ押圧する出力部を有する第１アームと、外部から力が付与される入力部を有する第２アームとを有し、支点において前記本体に回動自在に支持されたテコ、
前記本体に設けられ、前記入力部に臨まされたネジ孔を有する雌ネジ部材、および
前記ネジ孔に螺合される雄ネジを有し、前記入力部を押圧する雄ネジ部材を備える、矯正装置。
【請求項２】
前記出力部および前記入力部の少なくとも一方は、前記第２エレクションピースまたは前記雄ネジ部材に摺動自在に接触される曲面として構成される、請求項１に記載の矯正装置。
【請求項３】
前記出力部および前記入力部の少なくとも一方は、前記第２エレクションピースまたは前記雄ネジ部材に回転自在に接触されるローラとして構成される、請求項１に記載の矯正装置。
【発明の詳細な説明】
【０００１】
【産業上の利用分野】
この発明は、既設柱と建入柱とを接続する際に建入柱の傾きを矯正する、矯正装置に関する。
【０００２】
【従来の技術】
図１２を参照して、既設柱１の上端に建入柱２を接続する際には、建入柱２の傾きを矯正する必要がある。そこで、従来では、既設柱１の上端部および建入柱２の下端部に予めエレクションピース１ａおよび２ａを取り付けておき、接続時には、これらに矯正装置３を装着して建入柱２の傾きを矯正するようにしていた。
【０００３】
従来の矯正装置３（図１２）は、既設柱１のエレクションピース１ａに固定される本体４と、本体４に設けられた高さ調整部５とを有し、傾きを矯正する際には、高さ調整部５の雄ネジ部材６をねじ込むことによって押圧アーム７の出力部７ａでエレクションピース２ａの下端を上方向へ押圧し、建入柱２の傾いた側の側壁を押し上げるようにしていた（非特許文献１参照）。
【０００４】
【非特許文献１】
インターネット＜ＵＲＬ：ｈｔｔｐ：／／ｗｗｗ．ｍｉｎａｔｏｓｅｉｋｉ．ｃｏ．ｊｐ／＞
【０００５】
【発明が解決しようとする課題】
しかし、従来の矯正装置３（図１２）では、本体４の側壁にガイド孔８が形成されていたので、本体４の強度が不十分であり、建入柱２の重量によって本体４が変形されるという問題があった。つまり、従来の矯正装置３における高さ調整部５では、押圧アーム７の出力部７ａをガイド孔８によってガイドしながら変位させていたので、ガイド孔８は不可欠な構成要素となっており、このガイド孔８のために本体４の強度が損なわれていた。
【０００６】
この問題を解決する一手段として、本体４の厚みや高さを増すことが考えられるが、その場合には、矯正装置３のサイズや重量が大きくなって取扱い性が悪くなるという別の問題を生じるおそれがあった。
【０００７】
それゆえに、この発明の主たる目的は、軽量にして十分な強度を有する、矯正装置を提供することである。
【０００８】
【課題を解決するための手段】
請求項１に記載した発明は、「水平方向に突出する第１エレクションピース１８を有する既設柱１２と水平方向に突出する第２エレクションピース２０を有する建入柱１４とを接続する際に建入柱１４の傾きを矯正する、矯正装置１０であって、第１エレクションピース１８に固定される本体２２、第２エレクションピース２０を上方向へ押圧する出力部Ｐ１を有する第１アーム６８と、外部から力が付与される入力部Ｐ２を有する第２アーム７０とを有し、支点において本体２２に回動自在に支持されたテコ６０、本体２２に設けられ、入力部Ｐ２に臨まされたネジ孔８０を有する雌ネジ部材６６、およびネジ孔８０に螺合される雄ネジ８２を有し、入力部Ｐ２を押圧する雄ネジ部材６４を備える、矯正装置１０」である。
【０００９】
この発明において、本体２２を既設柱１２の第１エレクションピース１８に固定した状態で、ネジ孔８０に螺合された雄ネジ部材６４によってテコ６０の入力部Ｐ２を押圧すると、テコ６０の出力部Ｐ１が支点を中心として回動されながら第２エレクションピース２０を押圧する。テコ６０は、支点において本体２２に回動自在に支持されており、出力部Ｐ１は支点を中心として安定して回動されるので、出力部Ｐ１をガイドするガイド孔を本体２２に設ける必要はない。
【００１０】
請求項２に記載した発明は、請求項１に記載した発明において、「出力部Ｐ１および入力部Ｐ２の少なくとも一方は、第２エレクションピース２０または雄ネジ部材６４に摺動自在に接触される曲面として構成される」ことを特徴とする。
【００１１】
この発明において、雄ネジ部材６４によってテコ６０の入力部Ｐ２を押圧すると、入力部Ｐ２が雄ネジ部材６４に対して摺動されるとともに、出力部Ｐ１が第２エレクションピース２０に対して摺動されながら支点を中心として回動される。出力部Ｐ１および入力部Ｐ２の少なくとも一方は、曲面として構成され、第２エレクションピース２０または雄ネジ部材６４に対して点または線で接触されるので、面接触される場合に比べて摺動時（回動時）の摩擦抵抗は小さくなる。
【００１２】
請求項３に記載した発明は、請求項１に記載した発明において、「出力部Ｐ１および入力部Ｐ２の少なくとも一方は、第２エレクションピース２０または雄ネジ部材６４に回転自在に接触されるローラ９０として構成される」ことを特徴とする。
【００１３】
この発明では、出力部Ｐ１および入力部Ｐ２の少なくとも一方は、ローラ９０として構成され、第２エレクションピース２０または雄ネジ部材６４に対して回転自在に接触されるので、請求項２に記載した発明と同様に、摺動時（回動時）の摩擦抵抗は小さくなる。
【００１４】
【発明の実施の形態】
図１および図２を参照して、この発明が適用された矯正装置１０は、図４に示すような既設柱１２の上端に建入柱１４を接続する際に、建入柱１４の傾きを矯正するとともに、接続部Ａ（図７，図８）における水平方向の目違いを矯正するものである。
【００１５】
既設柱１２および建入柱１４は、図４に示すように、断面略四角形の鉄骨柱であり、既設柱１２における上端部の４側面には、貫通孔１８ａ，１８ｂおよび１８ｃを有する第１エレクションピース１８が取り付けられ、建入柱１４における下端部の４側面には、貫通孔２０ａを有する第２エレクションピース２０が取り付けられている。ただし、既設柱１２および建入柱１４は、Ｈ形鋼等のような他の種類の鉄骨柱であってもよい。
【００１６】
矯正装置１０は、図１および図２に示すように、鉄等のような高剛性材料からなる本体２２を含み、本体２２の長手方向一方端部には固定部２４が設けられ、長手方向他方端部には目違い矯正部２６が設けられ、長手方向中央部には高さ調整部２８が設けられる。
【００１７】
固定部２４は、矯正装置１０を第１エレクションピース１８（図４）に固定する部分であり、第１エレクションピース１８を受容するスリット状の第１受容部３０を含む。第１受容部３０において第１エレクションピース１８を挟む２つの側壁の一方には、ネジ孔３２ａおよび３４が形成され、他方には、ネジ孔３２ａと一対となるネジ孔３２ｂが形成される。また、本体２２の長手方向一方端部には、ネジ孔３２ａ，３２ｂおよび３４のそれぞれの中心軸に対して直交する中心軸を有するネジ孔３６が形成される。
【００１８】
そして、ネジ孔３２ａおよび３２ｂには、係止ボルト３８が本体２２を貫通した状態で螺合され、ネジ孔３４および３６のそれぞれには、固定ボルト４０および４２が螺合される。ただし、ネジ孔３２ａおよび３２ｂに代えて、単なる貫通孔が形成され、その貫通孔に係止ピン（係止部材）が挿通されてもよい。
【００１９】
目違い矯正部２６は、既設柱１２に対して建入柱１４を水平方向へ変位させる部分であり、第２エレクションピース２０を受容するスリット状の第２受容部４４を含む。第２受容部４４において第２エレクションピース２０を挟む２つの側壁の一方には、ネジ孔４６が形成され、他方には、ネジ孔４８が形成される。また、本体２２の長手方向他方端部には、ネジ孔４６および４８のそれぞれの中心軸に対して直交する中心軸を有するネジ孔５０が形成される。
【００２０】
そして、ネジ孔４６および４８のそれぞれには、調整ボルト５２および５４が螺合され、ネジ孔５０には、固定ボルト５６が螺合される。
【００２１】
高さ調整部２８は、「テコの原理」を利用して第２エレクションピース２０を上方へ押圧するものであり、本体２２に設けられたスリット状のテコ収容部５８，テコ収容部５８に収容されるテコ６０，本体２２に対してテコ６０を回動自在に支持する支持部材６２，テコ６０に対して力を付与する雄ネジ部材６４および雄ネジ部材６４を支持する雌ネジ部材６６等によって構成される。
【００２２】
テコ６０は、図３に示すように、第２エレクションピース２０を押圧する出力部Ｐ１を有する第１アーム６８と、外部から力が付与される入力部Ｐ２を有する第２アーム７０とを有し、第１アーム６８と第２アーム７０との連結部７２には、第１アーム６８および第２アーム７０に直交する方向へ延びる軸孔７４が形成される。したがって、テコ６０においては、出力部Ｐ１が「作用点」となり、入力部Ｐ２が「力点」となり、連結部７２が「支点」となる。
【００２３】
出力部Ｐ１は、第１アーム６８の先端部に第２エレクションピース２０に対して摺動自在に線接触される曲面（円柱面の一部）として構成され、入力部Ｐ２は、第２アーム７０の先端部に雄ネジ部材６４に対して摺動自在に線接触される曲面（円柱面の一部）として構成される。これは、出力部Ｐ１および入力部Ｐ２が第２エレクションピース２０および雄ネジ部材６４に対して摺動する際の摩擦抵抗を低減し、雄ネジ部材６４から第２エレクションピース２０に対して力をスムーズに伝達するためである。
【００２４】
また、入力部Ｐ２は、第２アーム７０の先端部から雄ネジ部材６４側へ突出するように形成される。これは、第２アーム７０における入力部Ｐ２以外の部分と雄ネジ部材６４（押圧部８８）とが干渉するのを防止し、力の伝達ロスが生じるのを防止するためである。
【００２５】
また、第１アーム６８と第２アーム７０とが成す角度θ（図示せず）は、本体２２の長手方向に対して直交する方向から付与される力によって第２エレクションピース２０を上方向へ押圧することのできるように、略９０度に設定される。ただし、この角度θは、入力部Ｐ２に付与される力の方向を考慮して設定されるものであり、この力の方向が変更された場合には、それに応じて角度θも変更されることになる。
【００２６】
さらに、第２アーム７０の長さは、第２エレクションピース２０に対して大きな力を楽に付与するために、第１アーム６８の長さよりも十分に長めに設定される。
【００２７】
そして、このテコ６０が、連結部７２を支点として本体２２に対して回動自在に支持される。つまり、テコ６０の軸孔７４に回動軸７６が挿通され、この回動軸７６が本体２２に設けられた支持部材６２に取り付けられる。ただし、テコ６０の回動性は、回動軸７６に対して連結部７２を回動させることにより確保されてもよいし、支持部材６２に対して回動軸７６を回動させることにより確保されてもよいし、これらの双方により確保されてもよい。
【００２８】
雌ネジ部材６６は、図１に示すように、２つの脚部７８ａと脚部７８ａ間に設けられた支持部７８ｂとによって略コ字状に形成され、支持部７８ｂの中央部には、ネジ孔８０がテコ６０の入力部Ｐ２に臨むようにして形成される。そして、各脚部７８ａが本体２２の側面に溶接等により固着される。
【００２９】
雄ネジ部材６４は、図１および図２（Ｂ）に示すように、外周面に雄ネジ８２を有する略棒状のネジ部８４を含み、ネジ部８４の一端には、六角レンチが嵌め込まれる孔８６ａを有する頭部８６が形成され、他端には、板状の押圧部８８が取り付けられる。
【００３０】
そして、雄ネジ部材６４の雄ネジ８２が雌ネジ部材６６のネジ孔８０に螺合される。したがって、雄ネジ部材６４（雄ネジ８２）をネジ孔８０にねじ込んでいくと、押圧部８８によってテコ６０の入力部Ｐ２が押圧され、出力部Ｐ１が連結部７２を中心として回動される。
【００３１】
矯正装置１０を用いて建入柱１４の傾きを矯正する際には、まず、図５に示すように、固定部２４の係止ボルト３８を貫通孔１８ａ（図４）に挿通させることによって第１エレクションピース１８に対して矯正装置１０を仮止めし、また、既設柱１２の上端に建入柱１４を位置決めする。
【００３２】
続いて、図６に示すように、目違い矯正部２６の第２受容部４４に第２エレクションピース２０を受容させた状態で、固定部２４の固定ボルト４０および４２を締め付ける。このようにして、すべての第１エレクションピース１８に対して矯正装置１０を固定する。
【００３３】
そして、図７に示すように、各矯正装置１０の調整ボルト５２および５４のうち所定の一つまたは二つ以上をねじ込むことによって、対応する第２エレクションピース２０を水平方向へ押圧し、建入柱１４を所定方向（目違いが矯正される方向）へ変位させる。また、既設柱１２に対して建入柱１４が傾いている場合には、傾いた側に装着された矯正装置１０の雄ネジ部材６４をねじ込んで、対応する第２エレクションピース２０を上方向（傾きが矯正される方向）へ押圧し、建入柱１４の側壁を必要な高さだけ持ち上げる。
【００３４】
傾きを矯正する際に、雄ネジ部材６４をねじ込んでいくと、図８に示すように、雄ネジ部材６４（押圧部８８）によってテコ６０の入力部Ｐ２が押圧され、入力部Ｐ２が雄ネジ部材６４に対して摺動されるとともに、出力部Ｐ１が第２エレクションピース２０に対して摺動されながら連結部７２を支点として回動される。これにより、出力部Ｐ１から第２エレクションピース２０に対して力が伝達される。
【００３５】
出力部Ｐ１および入力部Ｐ２は、曲面（円柱面の一部）として構成されているので、これらの第２エレクションピース２０および雄ネジ部材６４に対する接触態様は「線接触」となる。したがって、「面接触」となる場合に比べて摺動時（回動時）の摩擦抵抗は小さくなり、第２エレクションピース２０に対して力を無駄なく伝達することができる。
【００３６】
このようにして目違いおよび傾きの矯正作業が完了すると、各矯正装置１０の固定ボルト５６を締め付けた後、接続部Ａ（図７，図８）を溶接する。そして、各矯正装置１０を取り外し、各エレクションピース１８および２０を切除する。
【００３７】
この実施例によれば、テコ６０を用いて雄ネジ部材６４からの力を第２エレクションピース２０に伝達するようにしており、テコ６０の出力部Ｐ１は連結部７２を中心として安定して回動されるので、出力部Ｐ１をガイドするためのガイド孔を本体２２に設ける必要はない。したがって、軽量にして十分な強度を確保することができる。
【００３８】
なお、上述の実施例では、出力部Ｐ１および入力部Ｐ２の双方を曲面として構成しているが、たとえば図９に示すように、出力部Ｐ１および入力部Ｐ２の双方をローラ９０として構成してもよいし、出力部Ｐ１または入力部Ｐ２のいずれか一方をローラ９０として構成し、他方を曲面として構成してもよい。出力部Ｐ１および／または入力部Ｐ２をローラ９０として構成する場合には、テコ６０におけるローラ９０が配置される位置に溝９０ａが形成され、この溝９０ａにローラ９０が嵌め込まれる。曲面に代えてローラ９０を用いた場合でも、摺動時（回動時）の摩擦抵抗を低減できるので、第２エレクションピース２０に対して力を無駄なく伝達することができる。
【００３９】
また、上述の実施例では、入力部Ｐ２を曲面またはローラ９０として構成しているが、たとえば図１０に示すように、入力部Ｐ２を平面として構成するとともに、雄ネジ部材６４の押圧部８８を曲面（円柱面の一部）として構成してもよいし、たとえば図１１に示すように、入力部Ｐ２を平面として構成するとともに、押圧部８８をローラ９２（または回転可能な球体）として構成してもよい。これらの場合でも、入力部Ｐ２と雄ネジ部材６４（押圧部８８）との接触部において摺動時（回動時）の摩擦抵抗を低減できるので、第２エレクションピース２０に対して力を無駄なく伝達することができる。
【００４０】
さらに、出力部Ｐ１，入力部Ｐ２および押圧部８８のうち少なくとも一つを曲面として構成する場合、その曲面は球面の一部であってもよい。この場合、平面に対する接触態様は「点接触」となるので、「面接触」となる場合に比べて摺動時（回動時）の摩擦抵抗を低減でき、力の伝達ロスを低減できる。
【００４１】
【発明の効果】
請求項１〜３に記載した発明によれば、テコは支点において本体に対して回動自在に支持されており、テコの出力部は支点を中心として安定して回動されるので、本体には出力部をガイドするためのガイド孔を設ける必要はない。したがって、軽量にして十分な強度を確保することができる。
【００４２】
請求項２に記載した発明では、出力部および入力部の少なくとも一方が、第２エレクションピースまたは雄ネジ部材に摺動自在に接触される曲面（円柱面の一部または球面の一部等）として構成される。また、請求項３に記載した発明では、出力部および入力部の少なくとも一方が、第２エレクションピースまたは雄ネジ部材に回動自在に接触されるローラとして構成される。したがって、これらの発明によれば、テコを回動させるときの摩擦抵抗を低減することができ、第２エレクションピースに対して力を無駄なく伝達することができる。
【図面の簡単な説明】
【図１】この発明の一実施例を示す斜視図である。
【図２】この発明の一実施例を示す平面図および正面図である。
【図３】テコを示す斜視図である。
【図４】既設柱および建入柱を示す斜視図である。
【図５】図１実施例の装着方法を示す図である。
【図６】図１実施例の装着状態を示す図である。
【図７】図１実施例の使用方法を示す図である。
【図８】図１実施例の使用方法を示す一部断面図である。
【図９】テコの変形例を示す図である。
【図１０】テコおよび雄ネジ部材の変形例を示す図である。
【図１１】テコおよび雄ネジ部材の他の変形例を示す図である。
【図１２】従来技術を示す図である。
【符号の説明】
Ｐ１…  出力部
Ｐ２…  入力部
１０…  矯正装置
１２…  既設柱
１４…  建入柱
１８…  第１エレクションピース
２０…  第２エレクションピース
２２…  本体
２８…  高さ調整部
６０…  テコ
６２…  支持部
６４…  雄ネジ部材
６６…  雌ネジ部材
６８…  第１アーム
７０…  第２アーム
７２…  連結部
７４…  軸孔
７６…  回動軸
８０…  ネジ孔
８２…  雄ネジ
８８…  押圧部
９０…  ローラ
【図１】
2004150080.tif 000003
【図２】
2004150080.tif 000004
【図３】
2004150080.tif 000005
【図４】
2004150080.tif 000006
【図５】
2004150080.tif 000007
【図６】
2004150080.tif 000008
【図７】
2004150080.tif 000009
【図８】
2004150080.tif 000010
【図９】
2004150080.tif 000011
【図１０】
2004150080.tif 000012
【図１１】
2004150080.tif 000013
【図１２】
2004150080.tif 000014